(57)【特許請求の範囲】
【請求項１】
第１基板と、
第２基板と、
前記第１基板と前記第２基板との間に挟持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給し、前記画素に駆動信号を供給する駆動回路を有し、
前記駆動回路は、１水平走査期間に前記画素に走査電圧を出力し、
Ｎを２以上の整数とするとき、前記駆動回路は、前記液晶表示パネルに画像を表示するための前記駆動信号が変動していない期間に、前記分割された各ブロックの対向電極に対してタッチパネル走査電圧をＮ個の水平走査期間連続して供給し、
前記Ｎ個の水平走査期間のそれぞれの期間に、タッチパネル走査電圧を前記分割された各ブロックの対向電極に対して供給するタイミングが、前記Ｎ個の水平走査期間毎にそれぞれ異なっていることを特徴とする液晶表示装置。
【請求項２】
第１基板と、
第２基板と、
前記第１基板と前記第２基板との間に挟持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給し、前記画素に駆動信号を供給する駆動回路を有し、
前記駆動回路は、１水平走査期間に前記画素に走査電圧を出力し、
Ｎを２以上の整数とするとき、前記駆動回路は、前記液晶表示パネルに画像を表示するための前記駆動信号が変動していない期間に、前記分割された各ブロックの対向電極に対してタッチパネル走査電圧をＮ個の水平走査期間連続して供給し、
前記Ｎ個の水平走査期間のそれぞれの期間に、基準時点から、タッチパネル走査電圧を前記分割された各ブロックの対向電極に対して供給する時点までの期間が、前記Ｎ個の水平走査期間毎にそれぞれ異なっていることを特徴とする液晶表示装置。
【請求項３】
第１基板と、
第２基板と、
前記第１基板と前記第２基板との間に挟持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給し、前記画素に駆動信号を供給する駆動回路を有し、
前記駆動回路は、１水平走査期間に前記画素に走査電圧を出力し、
Ｎを２以上の整数とするとき、前記駆動回路は、前記液晶表示パネルに画像を表示するための前記駆動信号が変動していない期間に、前記分割された各ブロックの対向電極に対してタッチパネル走査電圧をＮ水平走査期間連続して供給し、
t_txdlyを単位遅延時間、t_txwaitを所定の待ち時間、ｎを１以上Ｎ以下の整数、deley＝（n-1)×t_txdlとするとき、前記駆動回路は、ｎ番目の水平走査期間に、前記分割された各ブロックの対向電極に対してタッチパネル走査電圧を供給するとき、基準時点から（t_txwait＋deley）期間経過後に、タッチパネル走査電圧を供給することを特徴とする液晶表示装置。
【請求項４】
前記第１基板は、前記各画素に前記走査電圧を入力する複数の走査線を有し、
前記基準時点は、前記走査電圧の立ち上がり時点、あるいは、前記走査電圧の立ち下がり時点であることを特徴とする請求項２または請求項３に記載の液晶表示装置。
【請求項５】
前記駆動回路は、前記単位遅延時間（t_txdly）が格納されるレジスタＡを有することを特徴とする請求項３に記載の液晶表示装置。
【請求項６】
t_txmaxdを最大遅延時間とするとき、遅延時間deleyが、t_txmaxd以上となったときに、deleyの遅延時間を、（deley−(n-1)×t_txdly）の遅延時間に置き換えることを特徴とする請求項３に記載の液晶表示装置。
【請求項７】
前記駆動回路は、前記最大遅延時間（t_txmaxd）が格納されるレジスタＢを有することを特徴とする請求項６に記載の液晶表示装置。
【請求項８】
前記駆動回路は、シーケンサと、
前記シーケンサの制御の下に前記タッチパネル走査電圧を生成するタッチパネル走査電圧生成回路と、
前記シーケンサの制御の下に前記タッチパネル走査電圧生成回路から出力されるタッチパネル走査電圧を、所望の遅延時間だけ遅延させる遅延回路とを有することを特徴とする請求項３に記載の液晶表示装置。
【請求項９】
前記第１基板は、前記各画素に映像電圧を入力する複数の映像線と、
前記第１基板は、前記各画素に前記走査電圧を入力する複数の走査線とを有し、
前記液晶表示パネルに画像を表示するための前記駆動信号が変動していない期間は、前記映像線上の映像電圧の電圧遷移タイミング時点、あるいは、前記走査電圧の立ち上がり時点、あるいは、前記走査電圧の立ち下がり時点以外の期間であることを特徴とする請求項１または請求項２に記載の液晶表示装置。
【発明の詳細な説明】
【技術分野】
【０００１】
本発明は、液晶表示装置に係わり、特に、タッチパネルを内蔵したインセル方式の液晶表示装置に適用して有効な技術に関する。
【背景技術】
【０００２】
表示画面に使用者の指またはペンなどを用いてタッチ操作（接触押圧操作、以下、単にタッチと称する）して情報を入力する装置（以下、タッチセンサ又はタッチパネルとも称する）を備えた表示装置は、ＰＤＡや携帯端末などのモバイル用電子機器、各種の家電製品、現金自動預け払い機（Automated Teller Machine）等に用いられている。
このようなタッチパネルとして、タッチされた部分の容量変化を検出する静電容量方式が知られている。
この静電容量方式タッチパネルとして、タッチパネル機能を液晶表示パネルに内蔵した、所謂、インセル方式のタッチパネルを有する液晶表示装置が知られている。
インセル方式のタッチパネルでは、タッチパネルの走査電極を、液晶表示パネルを構成第１基板（所謂、ＴＦＴ基板）上に形成される対向電極（コモン電極ともいう）を分割して使用している。
【先行技術文献】
【特許文献】
【０００３】
【特許文献１】特開２０１０−８６０３８号公報
【発明の概要】
【発明が解決しようとする課題】
【０００４】
通常のタッチパネルでは、タッチパネルが搭載される端末のノイズ源が、タッチ検出に与える影響を低減するため、タッチパネルの電極（走査電極、検出電極）を駆動する周波数の調整を行っている。
一方、タッチパネル機能を液晶表示パネルに内蔵した、インセル方式のタッチパネルにおいては、液晶表示パネルから生じるノイズの影響を避けるため、液晶表示パネルの同期信号を参照し、液晶表示パネルが駆動されていないタイミングを使用して、タッチパネルの走査を行っている。
このため、タッチパネルの駆動周波数は、液晶表示パネルの駆動周波数に依存したものとなり、自由に調整することができない。
本発明は、前記従来技術の問題点を解決するためになされたものであり、本発明の目的は、タッチパネル機能を内蔵した液晶表示装置において、タッチパネルの駆動周波数を、液晶表示パネルの駆動周波数に依存せず、自由に調整することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）第１基板と、第２基板と、前記第１基板と前記第２基板との間に挟持される液晶とを有する液晶表示パネルを備え、マトリクス状に配置された複数の画素を有する液晶表示装置であって、前記第２基板は、タッチパネルの検出電極を有し、前記各画素は、画素電極と対向電極とを有し、前記対向電極は、複数のブロックに分割されており、前記分割された各ブロックの対向電極は、連続する複数の表示ラインの各画素に対して共通に設けられており、前記分割された各ブロックの対向電極は、前記タッチパネルの走査電極を兼用し、前記分割された各ブロックの対向電極に対して、対向電圧とタッチパネル走査電圧を供給する駆動回路を有し、Ｎを２以上の整数とするとき、前記駆動回路は、前記液晶表示パネルに画像を表示するための駆動パルスが変動していない期間に、前記分割された各ブロックの対向電極に対してタッチパネル走査電圧をＮ個の水平走査期間連続して供給し、前記Ｎ個の水平走査期間のそれぞれの期間に、前記分割された各ブロックの対向電極に対して供給されるタッチパネル走査電圧の駆動周波数が、前記Ｎ個の水平期間毎にそれぞれ異なっている。
【０００６】
（２）第１基板と、第２基板と、前記第１基板と前記第２基板との間に挟持される液晶とを有する液晶表示パネルを備え、マトリクス状に配置された複数の画素を有する液晶表示装置であって、前記第２基板は、タッチパネルの検出電極を有し、前記各画素は、画素電極と対向電極とを有し、前記対向電極は、複数のブロックに分割されており、前記分割された各ブロックの対向電極は、連続する複数の表示ラインの各画素に対して共通に設けられており、前記分割された各ブロックの対向電極は、前記タッチパネルの走査電極を兼用し、前記分割された各ブロックの対向電極に対して、対向電圧とタッチパネル走査電圧を供給する駆動回路を有し、Ｎを２以上の整数とするとき、前記駆動回路は、前記液晶表示パネルに画像を表示するための駆動パルスが変動していない期間に、前記分割された各ブロックの対向電極に対してタッチパネル走査電圧をＮ個の水平走査期間連続して供給し、前記Ｎ個の水平走査期間のそれぞれの期間に、タッチパネル走査電圧を前記分割された各ブロックの対向電極に対して供給するタイミングが、前記Ｎ個の水平期間毎にそれぞれ異なっている。
【０００７】
（３）第１基板と、第２基板と、前記第１基板と前記第２基板との間に挟持される液晶とを有する液晶表示パネルを備え、マトリクス状に配置された複数の画素を有する液晶表示装置であって、前記第２基板は、タッチパネルの検出電極を有し、前記各画素は、画素電極と対向電極とを有し、前記対向電極は、複数のブロックに分割されており、前記分割された各ブロックの対向電極は、連続する複数の表示ラインの各画素に対して共通に設けられており、前記分割された各ブロックの対向電極は、前記タッチパネルの走査電極を兼用し、前記分割された各ブロックの対向電極に対して、対向電圧とタッチパネル走査電圧を供給する駆動回路を有し、Ｎを２以上の整数とするとき、前記駆動回路は、前記液晶表示パネルに画像を表示するための駆動パルスが変動していない期間に、前記分割された各ブロックの対向電極に対してタッチパネル走査電圧をＮ個の水平走査期間連続して供給し、前記Ｎ個の水平走査期間のそれぞれの期間に、基準時点から、タッチパネル走査電圧を前記分割された各ブロックの対向電極に対して供給する時点までの期間が、前記Ｎ個の水平期間毎にそれぞれ異なっている。
【０００８】
（４）第１基板と、第２基板と、前記第１基板と前記第２基板との間に挟持される液晶とを有する液晶表示パネルを備え、マトリクス状に配置された複数の画素を有する液晶表示装置であって、前記第２基板は、タッチパネルの検出電極を有し、前記各画素は、画素電極と対向電極とを有し、前記対向電極は、複数のブロックに分割されており、前記分割された各ブロックの対向電極は、連続する複数の表示ラインの各画素に対して共通に設けられており、前記分割された各ブロックの対向電極は、前記タッチパネルの走査電極を兼用し、前記分割された各ブロックの対向電極に対して、対向電圧とタッチパネル走査電圧を供給する駆動回路を有し、Ｎを２以上の整数とするとき、前記駆動回路は、前記液晶表示パネルに画像を表示するための駆動パルスが変動していない期間に、前記分割された各ブロックの対向電極に対してタッチパネル走査電圧をＮ水平走査期間連続して供給し、t_txdlyを単位遅延時間、t_txwaitを所定の待ち時間、ｎを１以上Ｎ以下の整数、deley＝（n-1)×t_txdlとするとき、前記駆動回路は、ｎ番目の水平走査期間に、前記分割された各ブロックの対向電極に対してタッチパネル走査電圧を供給するとき、基準時点から（t_txwait＋deley）期間経過後に、タッチパネル走査電圧を供給する。
【０００９】
（５）（３）または（４）において、前記第１基板は、前記各画素に走査電圧を入力する複数の走査線を有し、前記基準時点は、前記走査電圧の立ち上がり時点、あるいは、前記走査電圧の立ち下がり時点である。
（６）（４）において、t_txmaxdを最大遅延時間とするとき、遅延時間deleyが、t_txmaxd以上となったときに、deleyの遅延時間を、（deley−(n-1)×t_txdly）の遅延時間に置き換える。
（７）（１）ないし（４）の何れかにおいて、前記第１基板は、前記各画素に映像電圧を入力する複数の映像線と、前記第１基板は、前記各画素に走査電圧を入力する複数の走査線とを有し、前記液晶表示パネルに画像を表示するための駆動パルスが変動していない期間は、前記映像線上の映像電圧の電圧遷移タイミング時点、あるいは、前記走査電圧の立ち上がり時点、あるいは、前記走査電圧の立ち下がり時点以外の期間である。
【発明の効果】
【００１０】
本願において開示される発明のうち代表的なものによって得られる効果を簡単に説明すれば、下記の通りである。
本発明のタッチパネル機能を内蔵した液晶表示装置によれば、タッチパネルの駆動周波数を、液晶表示パネルの駆動周波数に依存せず、自由に調整することが可能となる。
【図面の簡単な説明】
【００１１】
【図１】タッチパネル内蔵液晶表示装置の概略構成を示す分解斜視図である。
【図２】図１に示すタッチパネル内蔵液晶表示装置における、対向電極と検出電極を説明する図である。
【図３】図１に示すタッチパネル内蔵液晶表示装置の表示部の断面の一部を拡大して示す概略断面図である。
【図４】本発明の実施例のタッチパネルの全体概略構成を示すブロック図である。
【図５】本発明の実施例のタッチパネルの検出原理を説明するための図である。
【図６】本発明の実施例のタッチパネルのタッチ検出動作のタイミング図である。
【図７】タッチパネル内蔵液晶表示装置における、タッチパネル検出時と、画素書込み時のタイミングを説明するための図である。
【図８】本発明の実施例の液晶表示装置における、液晶表示パネル駆動およびセンサ電極駆動のタイミング図である。
【図９】本発明の実施例のレジスタ１０５１とレジスタ１０５２の仕様を示す図である。
【図１０】本発明の実施例のタッチパネル走査タイミングを示す図である。
【発明を実施するための形態】
【００１２】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
図１は、液晶表示パネルの内部にタッチパネルを内蔵したタッチパネル内蔵液晶表示装置の概略構成を示す分解斜視図である。
図１において、２は第１基板（以下、ＴＦＴ基板という）、３は第２基板（以下、ＣＦ基板という）と、２１は対向電極（共通電極ともいう）、５は液晶ドライバＩＣ、ＭＦＰＣはメインフレキシブル配線基板、４０はフロントウィンドウ、５３は接続用フレキシブル配線基板である。
図１に示す液晶表示装置では、ＣＦ基板３上の裏面側透明導電膜（ＣＤ）を、帯状のパターンに分割して、タッチパネルの検出電極３１となし、ＴＦＴ基板２の内部に形成される対向電極２１を帯状のパターンに分割、即ち、複数のブロックに分割して、タッチパネルの走査電極として兼用することにより、通常のタッチパネルで使用されるタッチパネル基板を削減している。また、図１に示す液晶表示装置では、タッチパネル駆動用の回路が、液晶ドライバＩＣ５の内部に設けられる。
【００１３】
次に、図２を用いて、図１に示す液晶表示装置の対向電極２１と検出電極３１について説明する。
前述したように、対向電極２１はＴＦＴ基板２上に設けられているが、複数本の（例えば３２本程度）対向電極２１が両端で共通に接続され、対向電極信号線２２と接続されている。
図２に示す液晶表示装置では、束状の対向電極２１が走査電極（Ｔｘ）を兼用し、また、検出電極３１が検出電極（Ｒｘ）を構成する。
したがって、対向電極信号には、画像表示に用いられる対向電圧と、タッチ位置の検出に用いられるタッチパネル走査電圧とが含まれる。タッチパネル走査電圧が対向電極２１に印加されると、対向電極２１と一定の間隔を持って配置され容量を構成する検出電極３１に検出信号が生じる。この検出信号は検出電極用端子３６を介して外部に取り出される。
なお、検出電極３１の両側にはダミー電極３３が形成されている。検出電極３１は一方の端部でダミー電極３３側に向かい広がりＴ字状の検出電極用端子３６を形成している。また、ＴＦＴ基板２には対向電極信号線２２以外にも駆動回路用入力端子２５のような様々な配線、端子等が形成される。
【００１４】
図１に示す液晶表示装置における、表示部の断面の一部を拡大した概略断面図を図３に示す。
図３に示すようにＴＦＴ基板２には画素部２００が設けられており、対向電極２１は画素の一部として画像表示に用いられる。また、ＴＦＴ基板２とカラーフィルタ基板３との間には液晶組成物４が狭持されている。カラーフィルタ基板３に設けられた検出電極３１とＴＦＴ基板に設けられた対向電極２１とは容量を形成しており、対向電極２１に駆動信号が印加されると検出電極３１の電圧が変化する。
この時、図３に示すように、フロントウィンドウ４０を介して指５０２等の導電体が近接または接触すると、容量に変化が生じ検出電極３１に生じる電圧に、近接・接触が無い場合に比較して変化が生じる。
このように、液晶表示パネルに形成した対向電極２１と検出電極３１との間に生じる容量の変化を検出することで、液晶表示パネルにタッチパネルの機能を備えることが可能となる。
【００１５】
図４は、本発明の実施例のタッチパネルの全体概略構成を示すブロック図である。
図４において、１０１はＬＣＤドライバ、１０２はシーケンサ、１０３はタッチパネル走査電圧生成回路、１０４は遅延回路、１０６はデコーダ回路、１０７はタッチパネル、１０８は検出回路、１０５１、１０５２はレジスタである。
タッチパネル１０７には、ユーザのタッチを検出するためのセンサ端子である電極パターン（Ｔｘ１〜Ｔｘ５の走査電極、Ｒｘ１〜Ｒｘ５の検出電極）が形成されている。
本実施例は、タッチパネル機能を液晶表示パネルに内蔵した、インセル方式のタッチパネルであるため、図２に示す束状の対向電極２１が走査電極（Ｔｘ）を兼用し、また、検出電極３１が検出電極（Ｒｘ）を構成する。
ＬＣＤドライバ１０１は、液晶表示パネルに画像を表示するための同期信号（垂直同期信号（Ｖｓｙｎｃ）及び水平同期信号（Ｈｓｙｎｃ））をシーケンサ１０２へ送出する。
シーケンサ１０２は、タッチパネル走査電圧生成回路１０３、遅延回路１０４、デコーダ回路１０６、及び検出回路１０８を制御して、タッチ検出動作のタイミングを制御する。
タッチパネル走査電圧生成回路１０３は、Ｔｘ１〜Ｔｘ５の走査電極を駆動するためのタッチパネル走査電圧（Ｖｓｔｃ）を生成して出力する。
【００１６】
遅延回路１０４は、タッチパネル走査電圧生成回路１０３から入力されたタッチパネル走査電圧（Ｖｓｔｃ）を、シーケンサ１０２から指示された遅延量だけ遅延させる。シーケンサ１０２は、レジスタ（１０５１，１０５２）に格納されたパラメータに基づき、遅延量を決定する。
レジスタ１０５１は、単位遅延時間を格納するレジスタであり、レジスタ１０５２は、最大遅延時間を格納するレジスタである。レジスタ１０５１に格納される単位遅延時間は、タッチパネル走査電圧（Ｖｓｔｃ）を遅延させる単位時間であり、タッチパネル走査電圧（Ｖｓｔｃ）の駆動周期を決定するパラメータとなる。
レジスタ１０５２に格納される最大遅延時間は、タッチパネル走査電圧（Ｖｓｔｃ）を遅延させる最大時間であり、タッチパネル走査電圧（Ｖｓｔｃ）のタイミングを変動させる許容範囲を規定するパラメータとなる。
デコーダ回路１０６は、シーケンサ１０２から入力される選択信号に基づいて、タッチパネル走査電圧（Ｖｓｔｃ）を、Ｔｘ１〜Ｔｘ５の走査電極の中１つの走査電極へ出力するアナログスイッチ（デマルチプレクサ）である。
検出回路１０８は、Ｔｘ１〜Ｔｘ５の走査電極の中で、タッチパネル走査電圧（Ｖｓｔｃ）が供給されている１つの走査電極と、Ｒｘ１〜Ｒｘ５の各検出電極との交点における電極間容量（相互容量）を検出する。
【００１７】
図５は、本発明の実施例のタッチパネルの検出原理を説明するための図である。
図６は、本発明の実施例のタッチパネルのタッチ検出動作のタイミング図である。
シーケンサ１０２は、タッチパネル走査電圧生成回路１０３等を制御し、垂直同期信号（Ｖｓｙｎｃ）及び水平同期信号（Ｈｓｙｎｃ）に同期しながら、Ｔｘ１〜Ｔｘ５の走査電極へ順次タッチパネル走査電圧（Ｖｓｔｃ）を供給する。ここで、図５、図６に示すように、各走査電極には、タッチパネル走査電圧（Ｖｓｔｃ）が複数回（図６では８回）供給される。
図６に示すように、検出回路１０８は、Ｒｘ１〜Ｒｘ５の各検出電極に生じる検出電圧を積算し（図６では負方向への積算）、到達した電圧値（△Ｖａ，△Ｖｂ）を記録する。
走査電極（Ｔｘ）と検出電極（Ｒｘ）との交点付近を、指（導体）がタッチしている場合、指へも電流が流れるため、積算結果の電圧値に変化が生じる。
例えば、図６では、送信電極（Ｔｘ１）と検出電極（ＲｘＮ）との交点付近に指が存在しないため（図６のＮＡに示すタッチ無しの状態）、検出電圧を積算した電圧は、非タッチレベル（ＬＡ）となる。
これに対して、送信電極（Ｔｘ２）と検出電極（ＲｘＮ）との交点付近には指が存在するため（図６のＮＢに示すタッチ有りの状態）、指へも電流が流れ、検出電圧を積算した電圧は、非タッチレベル（ＬＡ）よりも高電位の電圧となる。この変化量（タッチ信号）によりタッチ位置を検出することができる。
【００１８】
図７は、タッチパネル内蔵液晶表示装置における、タッチパネル検出時と、画素書込み時のタイミングを説明するための図である。なお、図７において、Ｔ３は帰線期間、ＶＳＹＮＣは垂直同期信号、ＨＳＹＮＣは水平同期信号である。
図７のＡは、１フレームの画素書込み期間（Ｔ４）に、１番目の表示ラインから１２８０表示ラインまでの画素書込みタイミングを示し、図７のＢが、２０ブロックに分割された各ブロックの対向電極（ＣＴ１〜ＣＴ２０）におけるタッチパネル検出タイミングを示す。
図７に示すように、任意の表示ラインの対向電極を走査電極（ＴＸ）として機能させ、タッチパネル検出時のスキャン動作は、画素書き込みを行うゲートスキャンとは異なる箇所で行う。
図７で説明したように、ゲートスキャンと、タッチパネル走査は異なる表示ラインで実施しているが、映像線と対向電極（ＣＴ）との間、および、走査線と対向電極（ＣＴ）との間には寄生容量があるため、映像線上の電圧（ＶＤＬ）の変動、あるいは、走査電圧（ＶＧＬ）の立ち上がり、あるいは、立ち下り時に生じるノイズにより、タッチパネル検出時の検出感度が低下する。
そこで、本実施例では、タッチ位置検出動作は、映像線上の電圧（ＶＤＬ）の変動、あるいは、走査電圧（ＶＧＬ）の立ち上がり、あるいは、立ち下りがない期間に実行される。
【００１９】
図８は、本発明の実施例の液晶表示装置における、液晶表示パネル駆動およびセンサ電極駆動のタイミング図である。
図８において、ＶＧＬは走査線上の走査電圧、ＶＤＬは映像線上の映像電圧、Ｖｃｏｍは対向電極に供給される対向電圧（コモン電圧ともいう）、Ｖｓｔｃはタッチパネル走査電圧、１Ｈは１水平走査期間、Ｔｘｓは、タッチパネル走査開始待ち期間である。
本実施例の液晶表示装置は、交流化駆動法として、ドット反転を採用しているため、対向電圧は、一定の電位のＶｃｏｍの電圧である。
タッチパネル機能を液晶表示パネルに内蔵した、インセル方式のタッチパネルでは、図２に示す束状の対向電極２１を、タッチ検出用の送信電極（Ｔｘ）としても動作させるため、液晶表示パネルの表示動作（図８のＡ）と、タッチ位置検出動作（図８のＢ）とは完全に時分割し、同期制御する必要がある。
前述したように、本実施例では、タッチ位置検出動作は、映像線上の電圧（ＶＤＬ）の変動、あるいは、走査電圧（ＶＧＬ）の立ち上がり、あるいは、立ち下りがない期間に実行（図８のＴＡの期間、あるいは、ＴＢの期間）に実行される。
【００２０】
図９は、本発明の実施例のレジスタ１０５１とレジスタ１０５２の仕様を示す図である。
図９に示すレジスタ名が、「TCP_TXDLY」のレジスタが、図４に示すレジスタ１０５１であり、パラメータは「単位遅延時間（t_txdly）」で、単位遅延時間が、０．２８６ｕｓ刻みで０〜１８．０ｕｓまで設定される。
また、図９に示す「TCP_TXMAXD」のレジスタが、図４に示すレジスタ１０５２であり、パラメータは「最大遅延時間（t_txmaxd）」で、最大遅延時間が、０．２８６ｕｓ刻みで０〜１８．０ｕｓまで設定される。但し、t_txdly＜t_txmaxdの条件を満たす必要がある。
図１０は、本発明の実施例のタッチパネル走査タイミングを示す図である。なお、図１０において、１Ｈは１水平走査期間、ＴｘＨはタッチパネル走査期間である。
本実施例では、同じ走査電極（Ｔｘ）に、タッチパネル走査電圧（Ｖｓｔｃ）を複数の水平走査期間に亘って複数回（例えば、３２回）に供給する際に、１水平走査期間毎に、タッチパネル走査電圧（Ｖｓｔｃ）を走査電極（Ｔｘ）に供給するタイミングを、レジスタ１０５１に格納された単位遅延時間ずつ遅らせる。但し、レジスタ１０５２に格納される最大遅延時間を超えないものとする。
【００２１】
本実施例では、図１０に示すように、１番目の水平走査期間では、タッチパネル走査電圧（Ｖｓｔｃ）を走査電極（Ｔｘ）に供給するタイミングは、水平同期信号（Ｈｓｙｎｃ）の立ち上がり時点から所定の待ち時間（t_txwait）経過後の時点であるが、２番目の水平走査期間では、タッチパネル走査電圧（Ｖｓｔｃ）を走査電極（Ｔｘ）に供給するタイミングは、水平同期信号（Ｈｓｙｎｃ）の立ち上がり時点から所定の待ち時間（t_txwait）に単位遅延時間（t_txdly）を加算した期間経過後の時点（t_txwait+t_txdly）となり、ｎ（０≦ｎ≦３１）番目の水平走査期間では、タッチパネル走査電圧（Ｖｓｔｃ）を走査電極（Ｔｘ）に供給するタイミングは、水平同期信号（Ｈｓｙｎｃ）の立ち上がり時点から所定の待ち時間（t_txwait）にｎ×単位遅延時間（ｎ×t_txdly）を加算した期間経過後の時点（t_txwait+ｎ×t_txdly）となる。
このように、本実施例において、同じ走査電極（Ｔｘ）に、タッチパネル走査電圧（Ｖｓｔｃ）を複数の水平走査期間に亘って複数回（例えば、３２回）に供給する際に、ｎ（０≦ｎ≦３１）番目の水平走査期間に、タッチパネル走査電圧（Ｖｓｔｃ）を走査電極（Ｔｘ）に供給するタイミングは、（t_txwait＋deley；deley＝ｎ×t_txdly）で表される。そして、（ｎ×t_txdly）が、最大遅延時間（t_txmaxd）以上（ｎ×t_txdly≧t_txmaxd）となった場合は、（deley＝deley−ｎ×t_txdly）とされる。
【００２２】
以下、本実施例のレジスタ（TPC_TXDLY）１０５１とレジスタ（TPC_TXMAXD）１０５２の設定例について説明する。
タッチパネル走査期間（ＴｘＨ）＞１水平走査期間（１Ｈ）の場合
［例１］
レジスタ（TPC_TXDLY）＝１，レジスタ（TPC_TXMAXD）＝５
Delay数＝０，１，２，３，４，０，１，…
［例２］
レジスタ（TPC_TXDLY）＝２，レジスタ（TPC_TXMAXD）＝５
Delay数＝０，２，４，１，３，０，２，…
タッチパネル走査期間（ＴｘＨ）＜１水平走査期間（１Ｈ）の場合
［例３］
レジスタ（TPC_TXDLY）＝９，レジスタ（TPC_TXMAXD）＝１０
Delay数＝０，９，８，７，６，５，４，３，２，１，０，９，…
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２３】
２  第１基板
３  第２基板
４  液晶組成物
５  液晶ドライバＩＣ
２１  対向電極
２２  対向電極信号線
２５  駆動回路用入力端子
３１  検出電極
３３  ダミー電極
３６  検出電極用端子
４０  フロントウィンドウ（又は、保護フィルム）
５３  接続用フレキシブル配線基板
１０１  ＬＣＤドライバ
１０２  シーケンサ
１０３  タッチパネル走査電圧生成回路
１０４  遅延回路
１０６  デコーダ回路
１０７  タッチパネル
１０８  検出回路
１０５１，１０５２  レジスタ
２００  画素部
５０２  指
Ｔｘ  タッチパネルの走査電極
Ｒｘ  タッチパネルの検出電極
ＭＦＰＣ  メインフレキシブル配線基板
【図１】
0005922984.tif 000002
【図２】
0005922984.tif 000003
【図３】
0005922984.tif 000004
【図４】
0005922984.tif 000005
【図５】
0005922984.tif 000006
【図６】
0005922984.tif 000007
【図７】
0005922984.tif 000008
【図８】
0005922984.tif 000009
【図９】
0005922984.tif 000010
【図１０】
0005922984.tif 000011